(57)【要約】  リジェクトの未離解片の離解状況に合わせて、効果的に未離解片を解繊することができるスクリーン装置を提供する。  製紙原料を良質繊維であるアクセプトＢと異物であるリジェクトＣとに選別するスクリーン入口室６と、スクリーン入口室６で選別されたリジェクトＣが送流されるリジェクト室７と、リジェクトＣ中の未離解の原料をさらに解繊するための離解用ステータ２５ａおよび離解用ロータ２５ｂを有し、離解用ステータ２５ａおよび離解用ロータ２５ｂは隙間５９を挟んで対峙する段差状のポケット４１ｃ、５１ｃを有し、スクリーン入口室６からリジェクト室７に送流されるリジェクトＣをポケット４１ｃ、５１ｃを介して解繊する離解部２５とを備えたスクリーン装置において、離解用ステータ２５ａおよび離解用ロータ２５ｂを締結部材４４、５５で着脱可能に取り付けた。
2012004887.tif 000002
【特許請求の範囲】
【請求項１】
製紙原料を良質繊維であるアクセプトと異物であるリジェクトとに選別するスクリーン入口室と、
前記スクリーン入口室で選別された前記リジェクトが送流されるリジェクト室と、
前記リジェクト中の未離解の原料をさらに解繊するための離解用ステータおよび離解用ロータを有し、前記離解用ステータおよび前記離解用ロータは隙間を挟んで対峙する段差状のポケットを有し、前記スクリーン入口室から前記リジェクト室に送流される前記リジェクトを前記ポケットを介して解繊する離解部と
を備えたスクリーン装置において、
前記離解用ステータおよび前記離解用ロータを締結部材で着脱可能に取り付けたことを特徴とするスクリーン装置。
【請求項２】
前記スクリーン入口室、前記リジェクト室および前記離解部を覆うケーシングおよび開閉可能な蓋を有し、前記蓋を開いた開口に前記離解用ステータおよび前記離解用ロータが臨むように配置したことを特徴とする請求項１に記載のスクリーン装置。
【請求項３】
前記離解用ステータおよび前記離解用ロータを交換することで、前記ポケットの段差の段数を変更可能にしたことを特徴とする請求項１または請求項２に記載のスクリーン装置。
【請求項４】
前記離解用ロータまたは前記離解用ステータのいずれかを分割構造とし、この分割した部分を着脱することで前記段差の段数を変更可能にしたことを特徴とする請求項１から請求項３のいずれか１つに記載のスクリーン装置。
【請求項５】
前記離解用ステータの解繊部および前記離解用ロータの解繊部を前記締結部材で取り付けるためのベース部をそれぞれ設けたことを特徴とする請求項１から請求項４のいずれか１つに記載のスクリーン装置。
【発明の詳細な説明】
【技術分野】
【０００１】
本発明は、紙パルプ工場などで古紙を原料として紙、板紙、ファイバーボードなどを製造する際に製紙原料を良質繊維であるアクセプトと、プラスチックや砂などの異物であるリジェクトに選別する製紙原料用スクリーン装置に関する。
【背景技術】
【０００２】
従来、製紙原料を良質繊維であるアクセプトと、プラスチックや砂などの異物であるリジェクトに選別するスクリーン装置が知られている（例えば、特許文献１〜４参照）。
図５は、従来の製紙原料用スクリーン装置１の一例を示す断面図である。このスクリーン装置１では、製紙原料Ａは、製紙原料入口２から原料入口室５内に流入する。スクリーン装置１内には、スクリーンバスケット９とロータ１０が設けられている。このロータ１０には、複数枚のベーン１０ａがアーム１０ｂを介して取り付けられており、ベーン１０ａはスクリーンバスケット９の円周面に沿って高速回転している。
ここで、１ａはスクリーン装置１のケーシングである。５は原料入口２に隣接する原料入口室であり、７はリジェクト出口３に隣接するリジェクト室である。６は原料入口室５とリジェクト室７の中間に位置し、スクリーンバスケット９の入口側の面９ａに隣接するスクリーン入口室であり、８はスクリーンバスケット９の出口側の面９ｂに隣接するアクセプト室である。４はアクセプト出口である。Ｂはアクセプト、Ｃはリジェクトである。【０００３】
製紙原料Ａはスクリーン入口室６内で、ロータ１０の働きで強制渦流を形成し、入口圧と出口圧との差圧および遠心力の作用でスクリーンバスケット９を通ってアクセプト室８に流入する。製紙原料Ａ中の良質原料はスクリーンバスケット９を通ってアクセプト室８内にアクセプトＢとして流入し、プラスチックや砂などの異物はスクリーンバスケット９を通過することができず、スクリーンバスケット９のスクリーン入口室６側の面９ａに張り付くことになるが、ベーン１０ａの作用で引き剥がされ、スクリーンバスケット９の内面を螺旋状に上方に流れてリジェクトＣとなり、リジェクト出口３から外部に流出する。アクセプトＢはアクセプト出口４から外部に流出する。リジェクトＣ中にはアクセプトとなるべき良質原料も残っているので、リジェクト処理工程、例えば２次スクリーン装置により処理して良質原料を回収する。【０００４】
このようなスクリーン装置は、原料中に含まれる微細な異物や解繊されていない未離解片が多いステージで用いると、リジェクトＣの発生する割合が大きくなる。その場合、そのリジェクト量に応じたテール処理装置が必要となり、結果的に設備や電力のコストが増加し、スクリーン装置の効果が低下する課題が発生する。
そのため、製紙原料のスクリーニングを目的とした一台の装置にスクリーン部と離解部とを一台に持たせた古紙パルプの選別装置も開発されている（例えば、特許文献５参照）。この装置では、前述したリジェクトＣをこの離解部で解繊し、リジェクト量の割合を減少させている。
【先行技術文献】
【特許文献】
【０００５】
【特許文献１】特開２００２−２８５４８５号公報
【特許文献２】特開２００２−２８５４８６号公報
【特許文献３】特開２００２−２８５４８７号公報
【特許文献４】特開２００２−２８５４８９号公報
【特許文献５】特許第３０６５２０２号公報
【発明の開示】
【発明が解決しようとする課題】
【０００６】
上述した離解部を備えたスクリーン装置では、リジェクトＣに付着した未離解片が多い場合には、離解部でより多くの未離解片を解繊することが好ましい。一方、未離解片が少ない場合には、離解部で解繊する作業を短時間で済ませることが好ましい。
しかしながら、上述した離解部は、未離解片が多い場合と少ない場合の両方に最適に対応することができるものではなく、未離解片を効果的に解繊することができない場合があった。【０００７】
本発明は、上述した事情を鑑みてなされたものであり、リジェクトの未離解片の離解状況に合わせて、効果的に未離解片を解繊することができるスクリーン装置を提供するためのものである。
【課題を解決するための手段】
【０００８】
上述課題を解決するため、本発明は、製紙原料を良質繊維であるアクセプトと異物であるリジェクトとに選別するスクリーン入口室と、前記スクリーン入口室で選別された前記リジェクトが送流されるリジェクト室と、前記リジェクト中の未離解の原料をさらに解繊するための離解用ステータおよび離解用ロータを有し、前記離解用ステータおよび前記離解用ロータは隙間を挟んで対峙する段差状のポケットを有し、前記スクリーン入口室から前記リジェクト室に送流される前記リジェクトを前記ポケットを介して解繊する離解部とを備えたスクリーン装置において、前記離解用ステータおよび前記離解用ロータを締結部材で着脱可能に取り付けたことを特徴とする。【０００９】
また、前記スクリーン入口室、前記リジェクト室および前記離解部を覆うケーシングおよび開閉可能な蓋を有し、前記蓋を開いた開口に前記離解用ステータおよび前記離解用ロータが臨むように配置してもよい。【００１０】
さらに、前記離解用ステータおよび前記離解用ロータを交換することで、前記ポケットの段差の段数を変更可能にすることもできる。【００１１】
また、前記離解用ロータまたは前記離解用ステータのいずれかを分割構造とし、この分割した部分を着脱することで前記段差の段数を変更可能に構成してもよい。【００１２】
さらにまた、前記離解用ステータの解繊部および前記離解用ロータの解繊部を前記締結部材で取り付けるためのベース部をそれぞれ設けていてもよい。
【発明の効果】
【００１３】
本発明に係るスクリーン装置では、離解用ステータおよび離解用ロータを締結部材で着脱可能に取り付けているので、リジェクトの未離解状況に合わせて、最適な離解用ステータおよび離解用ロータに適宜変更して離解作業を行うことができる。そのため、効果的に未離解片を解繊することができるスクリーン装置を提供することができる。
【図面の簡単な説明】
【００１４】
【図１】本発明の実施の形態に係るスクリーン装置を正面からみた断面図である。
【図２】図１のＩＩ部の拡大断面図である。
【図３】図２に対応する変形例であって、離解用ロータと離解用ステータとの段数を変更した断面図である。
【図４】図２および図３に対応する変形例であって、離解用ロータと離解用ステータとの段数を変更した断面図である。
【図５】従来の製紙原料用スクリーン装置の一例を示す断面図である。
【発明を実施するための形態】
【００１５】
以下、本発明の実施の形態に係るスクリーン装置について、図面を用いて詳細に説明する。なお、従来構造と同一のものは同一の符号を付して説明する。
図１は、本発明に係るスクリーン装置２０の概要を示す断面図である。
【００１６】
スクリーン装置２０は、図１に示すように、外側筐体を構成する略中空円柱形状のバッフル２１ａを備えている。また、このバッフル２１ａは、その上面が開口になっており、この開口を塞ぐように蓋部材２１ｂが着脱自在に取り付けられている。このバッフル２１ａおよび蓋部材２１ｂで閉じられた内方には製紙原料Ａが供給され、この内方でアクセプトＢとリジェクトＣとに選別される。
【００１７】
蓋部材２１ｂの下側外周部には、側方に向けて突出するフランジ部３０が形成されている。また、バッフル２１ａの上側外周部にも、側方に向けて突出するフランジ部３１が形成されている。バッフル２１ａと蓋部材２１ｂとは、このフランジ部３０、３１に上下方向に挿通されるボルト３２等の締結部材を円周方向に間隔をあけて複数締結することによって取り付けられる。このように取り付けられた状態では、スクリーン装置１の内部から製紙原料等が接続部から漏れないように密閉されることになる。
【００１８】
このバッフル２１ａの円筒状の外側には、図１において左側下部に位置する製紙原料入口２と、右側部に位置するアクセプト出口４とが形成されている。また、蓋部材２１ｂの外側には、図１の右側上部に位置するリジェクト出口３と、上部に位置する希釈水供給口１１がそれぞれ外側に向けて突出する態様で設けられている。
【００１９】
一方、バッフル２１ａの中央部には、バッフル２１ａの底面を貫通してバッフル２１ａの内方まで上下方向に延びるロータ１０が設けられている。このロータ１０は、図１の矢印Ｔ方向に回転可能に構成されている。また、バッフル２１ａの下側に設けられた図示しない駆動装置によって回転駆動されるようになっている。
【００２０】
バッフル２１ａの内方に位置するロータ１０の形状は、図１に示すように、上側が解放されたコップ形状（有底円筒状）に形成されている。このコップ形状の側壁２２ａは、下側から上側に向かうに従いロータ１０の直径が大きくなるように傾斜している。また、ロータ１０の回転軸の上部には、スクリュー１０ｃが取り付けられている。さらに、側壁２２ａの下側には、ロータ１０のコップ形状の内部と外部とを連通する開口部２２ｂが横方向に向けて形成されている。すなわち、コップ形状の内部は、詳細は後述するが、ロータ１０の上方から送流される原料ＨおよびリジェクトＣをスクリュー１０ｃによって下側の開口部２２ｂへ導くための循環路２８として機能する。
【００２１】
また、ロータ１０の側壁２２ａからは、複数本のアーム１０ｂがコップ形状の外側横方向に延びており、これらのアーム１０ｂの先端部には、複数枚のベーン１０ａが取り付けられている。これらのベーン１０ａは、組み合わされた状態で円筒状をなし、この円筒状の軸心がロータ１０の回転軸と一致している。すなわち、ロータ１０が回転すると、ベーン１０ａも一緒に回転するようになっている。
【００２２】
また、バッフル２１ａおよび蓋部材２１ｂで閉じられた内部には、スクリーン装置２０の下側に位置する原料入口室５と、この原料入口室５の上側に位置するスクリーン入口室６と、このスクリーン入口室６のさらに上側に位置するリジェクト室７と、スクリーン入口室６の側方の全周を覆うように形成されたアクセプト室８とがそれぞれ画成されている。
【００２３】
原料入口室５は、バッフル２１ａの壁部と、底面と、下側に向けて突出するアクセプト室８の壁部とで画成されている。この原料入口室５は、製紙原料入口２と連通しており、供給された製紙原料Ａは、まず、原料入口室５に入り込むことになる。
【００２４】
スクリーン入口室６は、バッフル２１ａの底壁と、ロータ１０の側壁２２ａと、詳細は後述するスクリーンバスケット９とで画成されている。このスクリーンバスケット９とベーン１０ａとの間には、わずかに隙間が設けられており、ベーン１０ａが回転する際にスクリーンバスケット９と干渉しないようになっている。
【００２５】
このスクリーン入口室６は、アクセプト室８の側壁を下側に突出させて作られたオリフィス２４を介して原料入口室５と連通している。このオリフィス２４は、通過する製紙原料Ａの流速を速くして、円周方向の全周に亘って製紙原料Ａの流れを一様にさせており、製紙原料Ａが満遍なく全周からスクリーン入口室６に入り込むようにしている。
【００２６】
さらに、スクリーン入口室６は、ロータ１０の側壁２２ａを傾斜させているので、図１に示すように、上側に行くに従いスクリーンバスケット９とロータ１０の側壁２２ａとの間隔が狭まっている。これにより、製紙原料Ａは、スクリーン入口室６の上側でも流速は一定に保たれる。そのため、スクリーンバスケット９を通過するアクセプトＢが同一条件で選別され、スクリーンバスケット９の全面が有効に使用できるようになる。
【００２７】
アクセプト室８は、アクセプト出口４と連通している。また、スクリーン入口室６とアクセプト室８とは、円筒形に形成されたスクリーンバスケット９を挟んで隣り合うように構成されている。より詳細には、スクリーンバスケット９の入口側の面９ａ（内側面）がスクリーン入口室６に面し、出口側の面９ｂ（外側面）がアクセプト室８に面している。このスクリーンバスケット９には、図示しない複数の穴が形成されている。この複数の穴は、製紙原料ＡをアクセプトＢとリジェクトＣとに選別する機能を果たしている。すなわち、これらの複数の穴を通過したものは、アクセプトＢとして選別され、通過できなかったものは、リジェクトＣとして選別される。
【００２８】
スクリーンバスケット９を通過したアクセプトＢは、オリフィス２７を介してアクセプト出口４からスクリーン装置２０の外部（例えば、次工程のスクリーン装置）へと送られるようになっている。
【００２９】
リジェクト室７は、蓋部材２１ｂと離解部２５とで略円筒形状に画成されている。すなわち、リジェクト室７とスクリーン入口室６とは、この離解部２５を挟んで上下に隣接しており、離解部２５を通過したリジェクトＣおよび離解部２５で離解された原料Ｈがリジェクト室７に流入するようになっている。
また、リジェクト室７は、上述したロータ１０のコップ形状の内部と連通している。これにより、リジェクトＣは、リジェクト出口３から排出されるか、スクリュー１０ｃによってコップ形状の上側開口から循環路２８へと案内され、開口部２２ｂを通過して再びスクリーン入口室６へと入り込むようになる。
【００３０】
離解部２５は、ロータ１０の上側に固定されてロータ１０と共に回転可能な離解用ロータ２５ｂと、バッフル２１ａ側に固定された離解用ステータ２５ａとで構成されている。この離解用ロータ２５ｂと離解用ステータ２５ａの間には、スクリーンバスケット９の穴を通過できなかったリジェクトＣが通過することになる。また、離解部２５の中央部には、ロータ１０のコップ形状の上側開口（循環路２８の上側開口）とほぼ等しい大きさに形成された開口部２９が形成されている。
【００３１】
図２は、図１のＩＩ部の拡大図であって、離解用ロータ２５ｂおよび離解用ステータ２５ａの取付部分を示す断面図である。また、図３は、離解用ステータ２５ａの断面図、図４は離解用ロータの断面図を示している。
【００３２】
離解用ステータ２５ａは、図２に示すように、バッフル２１ａ側に取り付けられたベース部４０と、このベース部４０の上側に取り付けられる解繊部４１とで構成されている。これらのベース部４０および解繊部４１は、上述したロータ１０の軸心を中心とする円環状にそれぞれ形成されており、その内側の開口からはロータ１０（および、詳細は後述する解繊用ロータ２５ｂ）が上側に表出するようになっている。
【００３３】
解繊部４１は、図３に示すように、断面が略直角三角形の形状をなしており、この解繊部４１の下側（直角な角をなす部分）には、図２および図３に示すように、解繊部４１の外周外側方向に延出するフランジ部４１ａが円周方向に連続して形成されている。また、このフランジ部４１ａには、円周方向に間隔をあけて複数のザグリ穴４２が形成されている。一方、ベース部４０には、ベース部４０と解繊部４１とを組み立てた状態でザグリ穴４２と対応する位置に雌ねじ穴４３が形成されている。この雌ねじ穴４３にザグリ穴４２から挿通させたボルト４４を螺合させることにより、ベース部４０と解繊部４１とが着脱自在に取り付けられている。このボルト４４は、ザグリ穴４２の内部に頭部が埋没するように、例えば六角穴付ボルトが使用されている。
【００３４】
また、この解繊部４１の円環状に形成された内側面は、図３に示すように、上側に向かうに従い直径が大きくなるような傾斜面４１ｂとして形成されている。この傾斜面４１ｂには、図３に示すように、傾斜面４１ｂの表面を凹ませ複数のポケット４１ｃが形成されている。このポケット４１ｃは、上下方向に３段構成になっている。
【００３５】
さらに、ベース部４０には、図２に示すように、蓋部材２１ｂがボルト４５を介して着脱自在に取り付けられている。
【００３６】
離解用ロータ２５ｂは、図２に示すように、ロータ１０側に取り付けられたベース部５０と、このベース部５０の上側に取り付けられる解繊部５１と、この解繊部５１のさらに上側に取り付けられる追加用解繊部５２とで構成されている。すなわち、この離解用ロータ２５ｂの解繊部は、解繊部５１と追加用解繊部５２とで分割した構造として構成されている。これらのベース部５０、解繊部５１および追加用解繊部５２は、上述したロータ１０の軸心を中心とする円環状に形成されており、その内側の開口からは、ロータ１０のコップ状の上側開口２９が上側に表出するようになっている。
【００３７】
解繊部５１の底部には、図２および図３に示すように、円周方向に間隔をあけて複数のザグリ穴５３が形成されている。一方、ベース部５０には、ベース部５０と解繊部５１とを組み立てた状態でザグリ穴５３と対応する位置に雌ねじ穴５４が形成されている。この雌ねじ穴５４にザグリ穴５３から挿通させたボルト５５を螺合させることにより、ベース部５０と解繊部５１とが着脱自在に取り付けられている。このボルト５５は、ザグリ穴５３の内部に頭部が埋没するように、例えば六角穴付ボルトが使用されている。
【００３８】
また、追加用解繊部５２の底部には、図２および図３に示すように、円周方向に間隔をあけて複数のザグリ穴５６が形成されている。一方、解繊部５１には、解繊部５１と追加用解繊部５２とを組み立てた状態でザグリ穴５６と対応する位置に雌ねじ穴５７が形成されている。この雌ねじ穴５７にザグリ穴５６から挿通させたボルト５８を螺合させることにより、解繊部５１と追加用解繊部５２とが着脱自在に取り付けられている。このボルト５８は、ザグリ穴５６の内部に頭部が埋没するように、例えば六角穴付ボルトが使用されている。
【００３９】
これらのボルト４４、５５、５８は、それぞれ蓋部材２１ｂを開いた上側から挿入されるようになっている。すなわち、バッフル２１ａの蓋部材２１ｂを開いた状態で、開口に離解用ステータ２５ａおよび離解用ロータ２５ｂが臨むように構成されており、この開口からボルト４４、５５、５８を着脱できるようになっている。さらに、この蓋部材２１ｂを開いた開口からは、これらのボルト４４、５５、５８を着脱することよって、解繊部４１、解繊部５１、追加用解繊部５２をスクリーン装置２０の内部からそれぞれ個々に着脱・交換することができるようになっている。
【００４０】
また、解繊部５１の円環状に形成された内側面は、図４に示すように、上側に向かうに従い直径が大きくなるような傾斜面５１ｂとして形成されている。この傾斜面５１ｂには、傾斜面５１ｂの表面を凹ませ複数のポケット５１ｃが形成されている。このポケット５１ｃは、上下方向に２段構成になっている。
一方、追加用解繊部５２の円環状に形成された内側面は、図４に示すように、上側に向かうに従い直径が大きくなるような傾斜面５２ｂとして形成されている。この傾斜面５２ｂには、傾斜面５２ｂの表面を凹ませ複数のポケット５２ｃが形成されている。このポケット５２ｃは、１段構成になっている。すなわち、上述した２段のポケット５１ｃとポケット５２ｃとによって、上下方向に３段構成になる。
【００４１】
これらの傾斜面５１ｂ、５２ｂは、図２および図４に示すように、解繊部５１と追加用解繊部５２とを組み付けた状態で、ほぼ面一な傾斜面となる。これらの傾斜面５１ｂ、５２ｂの傾斜角度は、解繊部４１の傾斜面４１ｂの傾斜角度と同じであり、離解用ステータ２５ａと離解用ロータ２５ｂを取り付けた状態では、傾斜面５１ｂ、５２ｂと傾斜面４１ｂとが隙間５９を挟んで対峙するようになっている。また、離解用ステータ２５ａ側の３段のポケット４１ｃと、離解用ロータ２５ｂ側の３段のポケット５１ｃ、５２ｃとは、上下方向においてそれぞれのポケット同士が対峙するように配置されている。
【００４２】
上述した隙間５９には、スクリーンバスケット９の穴を通過できなかったリジェクトＣが通過することになる。この隙間５９を通過するリジェクトＣは、傾斜面４１ｂ、５１ｂ、５２ｂに形成されたポケット４１ｃ、５１ｃ、５２ｃに入り込み、攪拌乱流によって流体剪断作用を受け、リジェクトＣ内に含まれる未離解の原料Ｈがさらに解繊されることになる。リジェクト室７に引き込まれたリジェクトＣとポケット４１ｃ、５１ｃ、５２ｃによって離解された原料Ｈとは、リジェクト室７からロータ１０の循環路２８へと入り込み、開口部２２ｂを通過して再度スクリーン入口室６へと戻るか、リジェクト室７と連通するリジェクト出口３からスクリーン装置２０の外部へと排出される。このポケット４１ｃ、５１ｃ、５２ｃで未離解の原料Ｈを解繊することにより、リジェクトＣの量を減らし、リジェクト出口３でリジェクトが滞るおそれを少なくしている。
【００４３】
次に、本発明の実施の形態に係るスクリーン装置２０の作用について、図１に基づいて説明する。
製紙原料入口２から供給された製紙原料Ａは、まず、原料入口室５に入り込み、オリフィス２４を通過して、全周から満遍なくスクリーン入口室６へと送流される。そして、製紙原料Ａは、ロータ１０の回転によってベーン１０ａの横方向に位置するスクリーンバスケット９に押圧される。このとき、製紙原料Ａは、スクリーンバスケット９の複数の穴を通過するアクセプトＢと、通過できずにスクリーンバスケット９に残るリジェクトＣとに分離される。
【００４４】
アクセプトＢは、スクリーンバスケット９を通過してアクセプト室８に入り込み、さらにオリフィス２７を通過して、アクセプト出口４からスクリーン装置２０の外部へ送流される。一方、リジェクトＣは、スクリーンバスケット９とロータ１０の壁部２２ａとの隙間が少ない上方へと押し出されるように流れ込む。
【００４５】
上方へ流れ込んだリジェクトＣは、離解部２５に形成されたポケット４１ｃ、５１ｃ、５２ｃに入り込み、リジェクトＣ中の未離解の原料Ｈがさらに解繊され、リジェクト室７へと送流される。リジェクト室７内に導かれたリジェクトＣおよびさらに解繊された原料Ｈは、以下の２つの流れに分かれることになる。
【００４６】
１つ目の流れは、ロータ１０の回転により、ロータ１０の循環路２８へと引き込まれ、開口部２２ｂを通過して、再度スクリーン入口室６へと流れるものである。そして、上述した流れによって、リジェクトＣはスクリーン入口室６で再びアクセプトＢとリジェクトＣとに分離され、リジェクトＣは再び離解部２５を通過し、リジェクト室７へと流れ込む。
このとき、希釈水供給口１１から希釈水Ｄが供給され、原料ＨおよびリジェクトＣの濃度がスクリーンバスケット９の選別できる程度に薄められ、開口部２２ｂ等で流れが滞ることを防止している。特に、希釈水供給口１１の下端の供給口が、ロータ１０が位置する中央部であって離解部２５の開口部２５ｃの内方に位置しているので、希釈水Ｄがロータ１０の循環路２８に向けて直接流れ込み、より効果的に１つ目の流れを助勢する。
【００４７】
上述した離解工程において、未離解原料の種類または原料の大きさや離解の度合いに合わせて、離解用ロータ２５ｂ側の解繊部５２を任意に着脱するようにする。すなわち、離解が不十分でリジェクトＣ中に多くのアクセプトＢが付着している場合などには、３段構成のポケット４１ｃ、５１ｃ、５２ｃを用いる。これにより、リジェクトＣ中のアクセプトＢの離解を促進することができる。
一方、アクセプトＢの付着が多くない場合などには、追加用解繊部５２を取り外し、２段のポケット４１ｃ、５１ｃを用いる。これにより、リジェクトＣが離解部２５で滞ることがなく、離解工程をより早く進めることができる。
これらの工程により、リジェクトＣ中の未離解片（アクセプトＢ）が効果的に解繊されることになる。
【００４８】
本発明の実施の形態に係るスクリーン装置１によれば、離解用ステータ２５ａおよび離解用ロータ２５ｂを締結部材４４、５５、５８で着脱可能に構成しているので、リジェクトＣの未離解状況に合わせて、最適な離解用ステータ２５ａおよび離解用ロータ２５ｂに適宜変更（交換）してポケット４１ｃ、５１ｃ、５２ｃの段数を変更して離解作業を行うことができる。そのため、効果的に未離解片を解繊することができるスクリーン装置を提供することができる。
【００４９】
また、スクリーン入口室６、リジェクト室７および離解部２５を覆うバッフル２１ａおよび開閉可能な蓋部材２１ｂを有し、この蓋部材２１ｂを開いた開口に離解用ステータ２５ａおよび離解用ロータ２５ｂが臨むように構成しているので、これらの離解用ステータ２５ａおよび離解用ロータ２５ｂをこの開口から着脱することができる。そのため、離解用ステータ２５ａおよび離解用ロータ２５ｂの交換を容易に行うことができる。
【００５０】
さらに、離解用ステータ２５ａおよび離解用ロータ２５ｂが着脱自在なボルト６２、６３、７２、７３で締結され、このボルト６２、６３、７２、７３が蓋部材２１ｂの開口から着脱可能に構成しているので、これらの離解用ステータ２５ａおよび離解用ロータ２５ｂの着脱作業を容易に行うことができる。
【００５１】
また、離解用ロータ２５ｂを分割構造とし、この分割した部分を着脱することでポケット４１ｃ、５１ｃ、５２ｃで構成された段差の段数を変更可能にしているので、未離解原料の大きさや離解状況に合わせて段差を適宜設定することができる。これにより、効果的に未離解片を解繊することができる。
【００５２】
さらにまた、離解用ステータ２５ａの解繊部６１、８１および離解用ロータ２５ｂの解繊部７１、９１をボルト６２、７２で取り付けるためのそれぞれのベース部６０、７０を設けているので、解繊部６１、８１および解繊部７１、９１の取付部分の形状を共通化することができる。これにより、これらの解繊部６１、７１、８１、９１を適宜交換できるようにすることができる。
【００５３】
以上、本発明の実施の形態に係るスクリーン装置について述べたが、本発明は既述の実施形態に限定されるものではなく、本発明の技術思想に基づいて各種の変形および変更が可能である。
例えば、本実施の形態では、解繊部４１と追加用解繊部５１とを着脱自在に構成し、ポケットの段数を２段と３段とで自由に変更できるようにしているが、この段差の段数はこれに限定されない。すなわち、段数が３段以上の離解用ステータおよび離解用ロータを使用することによって、さらに未離解原料の離解を促進することもできる。この場合、追加用解繊部のポケットの段数を増やして対応することもでき、または、追加用解繊部の数を増やしてポケットの段数を増やして対応することもできる。
【００５４】
また、本実施の形態では、離解用ロータ２５ｂの解繊部を、解繊部５１と追加用解繊部５２とで分割構造にしているが、離解用ステータ２５ａの解繊部を分割構造にして、分割した部分を着脱可能に構成することもできる。この場合、離解用ロータ２５ｂおよび離解用ステータ２５ａの傾斜をハの字状に変更することで、分割した部分を着脱できるようにする。これにより、離解用ステータ２５ａのポケットで形成される段差の段数を変更可能にすることができる。
【００５５】
また、本実施の形態では、追加用解繊部５２を着脱することによってポケットの段数を変更しているが、追加用解繊部５２を設けずに、解繊部４１、５１自体を着脱・交換することでポケット２６（図３および図４参照）の段数を変更することもできる。
【００５６】
図３は、図１のＩＩ部に対応する変形例を示す図であって、対峙するポケットの段数が２段に構成されている。
離解用ロータ２５ｂは、ベース部６０と、このベース部６０の上側に位置する解繊部６１とで構成されている。
【００５７】
ベース部６０は、バッフル２１ａ側（詳細には、アクセプト室８の上壁部分）に着脱可能な締結部材であるボルト６２を介して取り付けられている。このボルト６２は、六角穴付ボルトである。そして、ベース部６０の上面にザグリ穴を形成し、ボルト６２を締結した状態で、ボルト６２の頭部がベース部６０の上面から突出しないようにしている。
【００５８】
また、解繊部６１は、このベース部６０の上面にボルト６３を介して取り付けられている。このボルト６３は、六角穴付ボルトである。そして、解繊部６１の上面にザグリ穴を形成し、ボルト６３を締結した状態で、ボルト６３の頭部が解繊部６１の上面から突出しないようにしている。
【００５９】
これらのボルト６２、６３は、それぞれ蓋部材２５ｂを開いた状態で、この開口の上側から挿入されるようになっている。すなわち、この蓋部材２１ｂを開いた状態で、この開口に離解用ステータ２５ａが臨むように構成されている。また、この開口からは、ボルト６２、６３を着脱できるようになっている。さらに、この蓋部材２１ｂを開いた開口からは、ボルト６２を着脱することよって、解繊部６１を着脱、交換することができるようになっている。れにより、離解用ステータ２５ａ（ベース部６０および解繊部６１）が交換できるようになっている。
【００６０】
離解用ステータ２５ａは、ベース部７０と、このベース部７０の上側に位置する解繊部７１とで構成されている。
ベース部７０はロータ１０の上端部にボルト７２を介して取り付けられている。このボルト７２は、六角穴付ボルトである。そして、ベース部７０の上面にザグリ穴を形成し、ボルト７２を締結した状態で、ボルト７２の頭部がベース部７０の上面から突出しないようにしている。
【００６１】
また、解繊部７１は、このベース部７０の上面にボルト７３を介して取り付けられている。このボルト７３は、六角穴付ボルトである。そして、解繊部７１の上面にザグリ穴を形成し、ボルト７３を締結した状態で、ボルト７３の頭部が解繊部７１の上面から突出しないようにしている。
【００６２】
これらのボルト７２、７３は、それぞれ蓋部材２５ｂを開いた状態で、この開口の上側から挿入されるようになっている。すなわち、バッフル２１ａの蓋部材２１ｂを開いた状態で、開口に離解用ロータ２５ｂが臨むように構成されている。また、この開口からボルト７２、７３を着脱できるようになっている。さらに、この蓋部材２１ｂを開いた開口からは、ボルト７２を着脱することよって、解繊部７１を着脱、交換することができるようになっている。さらに、この解繊部７１を取り外した状態では、ボルト７３を着脱することによって、上記開口からベース部７０を着脱、交換することができるようになっている。
これにより、離解用ロータ２５ｂ（ベース部７０および解繊部７１）が交換できるようになっている。
【００６３】
図４は、図３の状態から、離解用ステータ２５ａの解繊部６１、および離解用ロータ２５ｂの解繊部７１をそれぞれ交換した状態を示す断面図である。
図３で示した離解用ステータ２５ａの解繊部６１、および離解用ロータ２５ｂの解繊部７１は、対峙するポケットの段数を２段で構成しているが、図４で示す離解用ステータ２５ａの解繊部８１、および離解用ロータ２５ｂの解繊部９１は、対峙する段差が３段で構成されている。
【００６４】
すなわち、スクリーンバスケット９で離解されなかった未離解原料が小さい場合には、この段数を２段にして離解させる。一方、未離解原料が大きい場合には、この段数を３段にして、未離解原料をより多くこの段差部分で接触させて離解を促進させるようにする。すなわち、段数が多いほどリジェクトＣと段差部分での擦り合わせ、或いはリジェクトＣ同士の擦り合わせが行われ、未離解原料の離解が促進されることになる。
【符号の説明】
【００６５】
１  スクリーン装置
１ａ  ケーシング
２  製紙原料入口
３  リジェクト出口
４  アクセプト出口
５  原料入口室
６  スクリーン入口室
７  リジェクト室
８  アクセプト室
９  スクリーンバスケット
９ａ  入口側の面
９ｂ  出口側の面
１０  ロータ
１０ａ  ベーン
１０ｂ  アーム
１０ｃ  スクリュー
１１  希釈水供給口
２０  スクリーン装置
２１ａ  バッフル（ケーシング）
２１ｂ  蓋部材
２２ａ  側壁
２２ｂ  開口部
２４  オリフィス
２５  離解部
２５ａ  離解用ステータ
２５ｂ  離解用ロータ
２６  ポケット
２７  オリフィス
２８  循環路
２９  開口部
３０、３１  フランジ部
３２  ボルト
４０  ベース部
４１  解繊部
４１ａ  フランジ部
４１ｂ  傾斜面
４１ｃ  ポケット
４２  ザグリ穴
４３  雌ねじ穴
４４  ボルト
４５  ボルト
５０  ベース部
５１  解繊部
５１ｂ  傾斜面
５１ｃ  ポケット
５２  追加用解繊部
５２ｂ  傾斜面
５２ｃ  ポケット
５３  ザグリ穴
５４  雌ねじ穴
５５  ボルト
５６  ザグリ穴
５７  雌ねじ穴
５８  ボルト
５９  隙間
６０  ベース部
６１、８１  解繊部
６２、６３  ボルト
７０  ベース部
７１、９１  解繊部
７２、７３  ボルト
Ａ  製紙原料
Ｂ  アクセプト
Ｃ  リジェクト
Ｄ  希釈水
Ｆ、Ｇ  流れ
Ｈ  原料
【図１】
2012004887.tif 000003
【図２】
2012004887.tif 000004
【図３】
2012004887.tif 000005
【図４】
2012004887.tif 000006
【図５】
2012004887.tif 000007
【国際調査報告】
2012004887.tif 000008
2012004887.tif 000009